(57)【要約】【課題】本発明は取替えやすい便座取っ手を開示した。【解決手段】本発明は取替えやすい便座取っ手公示し、取り付けブロックを含み、前記取り付けブロックの中には取り替えチャンバが設置され、前記取り替えチャンバの中には回転ブロックがスライド可能に設置され、前記回転ブロックの右端には取っ手が固定的に設置され、前記取り替えチャンバには取り付け溝が前後対称に、かつ連通的に設置され、前記取り付け溝の左側には回転溝が連通的に設置され、前記回転ブロックの左端には引掛りブロックが上下対称に、かつ固定的に設置され、取っ手を自在に取り替え可能であり、取り付けブロックと便座とは圧迫力と吸引力によって連結され、便座内壁の間隔による制限を免れ、使用範囲が広く、かつ取り付けや取り外しが便利で、再利用も可能であり、使用価値は上がる。【選択図】図１
2020175136.tif 000002
【特許請求の範囲】
【請求項１】
取替えやすい便座取っ手であり、正面視で、取り付けブロックを含み、前記取り付けブロックの中には取り替えチャンバが設置され、前記取り替えチャンバの中には回転ブロックがスライド可能に設置され、前記回転ブロックの右端には取っ手が固定的に設置され、前記取り替えチャンバには取り付け溝が前後対称に、かつ連通的に設置され、前記取り付け溝の左側には回転溝が連通的に設置され、前記回転ブロックの左端には引掛りブロックが上下対称に、かつ固定的に設置され、前記引掛りブロックは前記回転溝の中に伸びており、前記取り替えチャンバの上側には昇降溝が設置され、前記昇降溝の中にはラックがスライド可能に設置され、前記ラックの上端と前記昇降溝の内壁との間には圧縮ばねが設置され、前記ラックの上には左右対称の回転ロッドがヒンジで連結され、前記昇降溝の左右側には対称の回転チャンバが連通的に設置され、前記回転チャンバのうち前記昇降溝から離れた側には伸縮溝が外部と連通的に設置され、前記伸縮溝の中には支持ロッドがスライド可能に設置され、前記支持ロッドのうち前記昇降溝に近接した端は前記回転ロッドの上端とヒンジで連結され、前記支持ロッドのうち前記昇降溝から離れた端には吸盤が固定的に設置され、前記昇降溝の左側にはロック装置が設置され、前記ロック装置は前記ラックの位置を固定でき、前記昇降溝の下側には転動チャンバが設置され、前記転動チャンバの中には前記ロック装置と当接した回転軸が回転可能に設置され、前記回転軸の上には環状のロック溝が固定的に設置され、前記回転軸において前記ロック溝の右側に噛合ギアが固定的に設置され、前記転動チャンバと前記昇降溝との間には伝動装置が設置され、前記噛合ギアと前記伝動装置とは噛み合っており、前記伝動装置と前記ラックとが噛み合っており、前記転動チャンバの下側には解錠装置が設置され、前記噛合ギアと前記解錠装置とが噛み合っており、前記転動チャンバの右側と外部空間の間には制御溝が連通的に設置され、前記回転軸の右端は前記制御溝の中に伸びており、かつ前記回転軸の右端には制御ブロックが固定的に設置され、前記制御溝の中に位置する前記回転軸の上には圧迫ばねが嵌め合えるように設置されておることを特徴とする取替えやすい便座取っ手。
【請求項２】
前記ロック装置は前記昇降溝と連通した押し溝を含み、前記押し溝の中には押しブロックがスライド可能に設置され、前記押しブロックの左端と前記押し溝との間には連結ばねが固定的に設置され、前記押しブロックの中には空溝が設置され、前記空溝の中には前記ラックと噛み合っている固定ギアが固定的に設置され、前記押し溝と前記転動チャンバとの間にはスライドロッド溝が連通的に設置され、前記スライドロッド溝の中にはスライドロッドがスライド可能に設置され、前記スライドロッドの下端は前記回転軸と当接しており、前記スライドロッドの上端と前記押しブロックとは当接しており、前記スライドロッドの左端面には前記スライドロッドをリセットできる復位部品が固定的に設置されておることを特徴とする請求項１に記載の取替えやすい便座取っ手。
【請求項３】
前記伝動装置は前記転動チャンバと連通した伝動溝を含み、前記伝動溝の中には伝動軸によって回転できる伝動ギアが設置され、前記伝動ギアと前記噛合ギアとは噛み合うように連結でき、前記伝動溝の左側には噛合チャンバが連通的に設置され、前記伝動軸の左端は前記噛合チャンバの中に伸びており、前記伝動軸の左端には第一傘歯車が固定的に設置され、前記噛合チャンバの中にはギア軸によって第二傘歯車が回転可能に設置され、前記第二傘歯車と前記第一傘歯車とが噛み合っており、前記噛合チャンバの上側と前記昇降溝との間には噛合溝が連通的に設置され、前記噛合溝の中には芯金によって転動ギアが回転可能に設置され、前記芯金と前記ギア軸とはベルトによって伝動可能に連結され、前記転動ギアと前記ラックとが噛み合っておることを特徴とする請求項１に記載の取替えやすい便座取っ手。
【請求項４】
前記解錠装置は前記転動チャンバと連通した転動溝を含み、前記転動溝の中には前記噛合ギアと噛み合っている環状ギアが回転可能に設置され、前記環状ギアの軸心はネジ山状となっており、前記転動溝の左側には移動溝が連通的に設置され、前記移動溝の中には前記環状ギアとネジ山によって連結されたネジボルトがスライド可能に設置され、前記ネジボルトの外周にはガイドブロックが上下対称に、かつ固定的に設置され、前記移動溝と前記転動チャンバとの間にはスライド溝が連通的に設置され、前記スライド溝の中にはロックロッドがスライド可能に設置され、前記ロックロッドの上端は前記ロック溝の中に伸びており、前記ロックロッドの中には前記ネジボルトと当接できる斜め溝が設置され、前記ロックロッドの下端と前記スライド溝との間には固定ばねが固定的に設置されておることを特徴とする請求項１に記載の取替えやすい便座取っ手。
【発明の詳細な説明】
【技術分野】
【０００１】
本発明は日用品技術分野に関わるものであり、特に取替えやすい便座取っ手に関わるものである。
【背景技術】
【０００２】
既存する便座取っ手は両面テープで便座の内壁と粘着され、しかし、両面テープは水で粘性を失い、取っ手が自動的外れるのを免れなく、また、外れた取っ手は再利用できないため、使用価値は下がる。また、便座のサイズが違った場合、粘着する時に隙間が生まれないため、テープを裁たなければらない。取り付けも取り外しも不便である。よって、既存する便座取っ手には改進する必要があり、取っ手の取り付けと取り外しの便利性を上げ、また、取っ手の使用価値を上げる。
【先行技術文献】
【特許文献】
【０００３】
【特許文献１】中国特許出願公開第105747980号明細書
【発明の概要】
【発明が解決しようとする課題】
【０００４】
本発明は取替えやすい便座取っ手を提供し、既存技術にある上記の欠点を解消することを目的とする。
【課題を解決するための手段】
【０００５】
本発明の取替えやすい便座取っ手は、取り付けブロックを含み、前記取り付けブロックの中には取り替えチャンバが設置され、前記取り替えチャンバの中には回転ブロックがスライド可能に設置され、前記回転ブロックの右端には取っ手が固定的に設置され、前記取り替えチャンバには取り付け溝が前後対称に、かつ連通的に設置され、前記取り付け溝の左側には回転溝が連通的に設置され、前記回転ブロックの左端には引掛りブロックが上下対称に、かつ固定的に設置され、前記引掛りブロックは前記回転溝の中に伸びており、前記取り替えチャンバの上側には昇降溝が設置され、前記昇降溝の中にはラックがスライド可能に設置され、前記ラックの上端と前記昇降溝の内壁との間には圧縮ばねが設置され、前記ラックの上には左右対称の回転ロッドがヒンジで連結され、前記昇降溝の左右側には対称の回転チャンバが連通的に設置され、前記回転チャンバのうち前記昇降溝から離れた側には伸縮溝が外部と連通的に設置され、前記伸縮溝の中には支持ロッドがスライド可能に設置され、前記支持ロッドのうち前記昇降溝に近接した端は前記回転ロッドの上端とヒンジで連結され、前記支持ロッドのうち前記昇降溝から離れた端には吸盤が固定的に設置され、前記昇降溝の左側にはロック装置が設置され、前記ロック装置は前記ラックの位置を固定でき、前記昇降溝の下側には転動チャンバが設置され、前記転動チャンバの中には前記ロック装置と当接した回転軸が回転可能に設置され、前記回転軸の上には環状のロック溝が固定的に設置され、前記回転軸において前記ロック溝の右側に噛合ギアが固定的に設置され、前記転動チャンバと前記昇降溝との間には伝動装置が設置され、前記噛合ギアと前記伝動装置とは噛み合っており、前記伝動装置と前記ラックとが噛み合っており、前記転動チャンバの下側には解錠装置が設置され、前記噛合ギアと前記解錠装置とが噛み合っており、前記転動チャンバの右側と外部空間の間には制御溝が連通的に設置され、前記回転軸の右端は前記制御溝の中に伸びており、かつ前記回転軸の右端には制御ブロックが固定的に設置され、前記制御溝の中に位置する前記回転軸の上には圧迫ばねが嵌め合えるように設置されておる。
【０００６】
前記ロック装置は前記昇降溝と連通した押し溝を含み、前記押し溝の中には押しブロックがスライド可能に設置され、前記押しブロックの左端と前記押し溝との間には連結ばねが固定的に設置され、前記押しブロックの中には空溝が設置され、前記空溝の中には前記ラックと噛み合っている固定ギアが固定的に設置され、前記押し溝と前記転動チャンバとの間にはスライドロッド溝が連通的に設置され、前記スライドロッド溝の中にはスライドロッドがスライド可能に設置され、前記スライドロッドの下端は前記回転軸と当接しており、前記スライドロッドの上端と前記押しブロックとは当接しており、前記スライドロッドの左端面には前記スライドロッドをリセットできる復位部品が固定的に設置されておる。
【０００７】
前記伝動装置は前記転動チャンバと連通した伝動溝を含み、前記伝動溝の中には伝動軸によって回転できる伝動ギアが設置され、前記伝動ギアと前記噛合ギアとは噛み合うように連結でき、前記伝動溝の左側には噛合チャンバが連通的に設置され、前記伝動軸の左端は前記噛合チャンバの中に伸びており、前記伝動軸の左端には第一傘歯車が固定的に設置され、前記噛合チャンバの中にはギア軸によって第二傘歯車が回転可能に設置され、前記第二傘歯車と前記第一傘歯車とが噛み合っており、前記噛合チャンバの上側と前記昇降溝との間には噛合溝が連通的に設置され、前記噛合溝の中には芯金によって転動ギアが回転可能に設置され、前記芯金と前記ギア軸とはベルトによって伝動可能に連結され、前記転動ギアと前記ラックとが噛み合っておる。
【０００８】
前記解錠装置は前記転動チャンバと連通した転動溝を含み、前記転動溝の中には前記噛合ギアと噛み合っている環状ギアが回転可能に設置され、前記環状ギアの軸心はネジ山状となっており、前記転動溝の左側には移動溝が連通的に設置され、前記移動溝の中には前記環状ギアとネジ山によって連結されたネジボルトがスライド可能に設置され、前記ネジボルトの外周にはガイドブロックが上下対称に、かつ固定的に設置され、前記移動溝と前記転動チャンバとの間にはスライド溝が連通的に設置され、前記スライド溝の中にはロックロッドがスライド可能に設置され、前記ロックロッドの上端は前記ロック溝の中に伸びており、前記ロックロッドの中には前記ネジボルトと当接できる斜め溝が設置され、前記ロックロッドの下端と前記スライド溝との間には固定ばねが固定的に設置されておる。
【発明の効果】
【０００９】
本発明の有益的効果は：本発明はシンプルな構成と簡単な操作方法を有し、取っ手を自在に取り替え可能であり、取り付けブロックと便座とは圧迫力と吸引力によって連結され、便座内壁の間隔による制限を免れ、使用範囲が広く、かつ取り付けや取り外しが便利で、再利用も可能であり、使用価値は上がる。
【図面の簡単な説明】
【００１０】
説明をわかりやすくさせるため、下記の方向を以下のように規定する：図１は本発明装置の正面図であり、以下に述べる上下左右前後の方向と図１本体の投影関係の上下左右前後の方向とが一致である
【００１１】
【図１】図１は本発明である取替えやすい便座取っ手の内部全体構成略図
【図２】図２は図１におけるＡ−Ａ方向からの構成略図
【図３】図３は図１におけるＢの拡大構成略図
【発明を実施するための形態】
【００１２】
下記に図１〜３を交え、本発明について詳しく説明する
【００１３】
図１〜３を参照し、本発明の取替えやすい便座取っ手は取り付けブロック１０を含み、前記取り付けブロック１０の中には取り替えチャンバ１１が設置され、前記取り替えチャンバ１１の中には回転ブロック１２がスライド可能に設置され、前記回転ブロック１２の右端には取っ手１３が固定的に設置され、前記取り替えチャンバ１１には取り付け溝１６が前後対称に、かつ連通的に設置され、前記取り付け溝１６の左側には回転溝１４が連通的に設置され、前記回転ブロック１２の左端には引掛りブロック１５が上下対称に、かつ固定的に設置され、前記引掛りブロック１５は前記回転溝１４の中に伸びており、前記取り替えチャンバ１１の上側には昇降溝１７が設置され、前記昇降溝１７の中にはラック１８がスライド可能に設置され、前記ラック１８の上端と前記昇降溝１７の内壁との間には圧縮ばね１９が設置され、前記ラック１８の上には左右対称の回転ロッド２０がヒンジで連結され、前記昇降溝１７の左右側には対称の回転チャンバ２１が連通的に設置され、前記回転チャンバ２１のうち前記昇降溝１７から離れた側には伸縮溝２２が外部と連通的に設置され、前記伸縮溝２２の中には支持ロッド２３がスライド可能に設置され、前記支持ロッド２３のうち前記昇降溝１７に近接した端は前記回転ロッド２０の上端とヒンジで連結され、前記支持ロッド２３のうち前記昇降溝１７から離れた端には吸盤２４が固定的に設置され、前記昇降溝１７の左側にはロック装置１００が設置され、前記ロック装置１００は前記ラック１８の位置を固定でき、前記昇降溝１７の下側には転動チャンバ３３が設置され、前記転動チャンバ３３の中には前記ロック装置１００と当接した回転軸３４が回転可能に設置され、前記回転軸３４の上には環状のロック溝３５が固定的に設置され、前記回転軸３４において前記ロック溝３５の右側に噛合ギア３６が固定的に設置され、前記転動チャンバ３３と前記昇降溝１７との間には伝動装置２００が設置され、前記噛合ギア３６と前記伝動装置２００とは噛み合っており、前記伝動装置２００と前記ラック１８とが噛み合っており、前記転動チャンバ３３の下側には解錠装置３００が設置され、前記噛合ギア３６と前記解錠装置３００とが噛み合っており、前記転動チャンバ３３の右側と外部空間の間には制御溝５７が連通的に設置され、前記回転軸３４の右端は前記制御溝５７の中に伸びており、かつ前記回転軸３４の右端には制御ブロック５８が固定的に設置され、前記制御溝５７の中に位置する前記回転軸３４の上には圧迫ばね５９が嵌め合えるように設置されておる。
【００１４】
好ましくは前記ロック装置１００は前記昇降溝１７と連通した押し溝２５を含み、前記押し溝２５の中には押しブロック２６がスライド可能に設置され、前記押しブロック２６の左端と前記押し溝２５との間には連結ばね２９が固定的に設置され、前記押しブロック２６の中には空溝２７が設置され、前記空溝２７の中には前記ラック１８と噛み合っている固定ギア２８が固定的に設置され、前記押し溝２５と前記転動チャンバ３３との間にはスライドロッド溝３０が連通的に設置され、前記スライドロッド溝３０の中にはスライドロッド３１がスライド可能に設置され、前記スライドロッド３１の下端は前記回転軸３４と当接しており、前記スライドロッド３１の上端と前記押しブロック２６とは当接しており、前記スライドロッド３１の左端面には前記スライドロッド３１をリセットできる復位部品３２が固定的に設置されておる。
【００１５】
好ましくは、前記伝動装置２００は前記転動チャンバ３３と連通した伝動溝４６を含み、前記伝動溝４６の中には伝動軸４８によって回転できる伝動ギア４７が設置され、前記伝動ギア４７と前記噛合ギア３６とは噛み合うように連結でき、前記伝動溝４６の左側には噛合チャンバ４９が連通的に設置され、前記伝動軸４８の左端は前記噛合チャンバ４９の中に伸びており、前記伝動軸４８の左端には第一傘歯車５０が固定的に設置され、前記噛合チャンバ４９の中にはギア軸５１によって第二傘歯車５２が回転可能に設置され、前記第二傘歯車５２と前記第一傘歯車５０とが噛み合っており、前記噛合チャンバ４９の上側と前記昇降溝１７との間には噛合溝５３が連通的に設置され、前記噛合溝５３の中には芯金５４によって転動ギア５５が回転可能に設置され、前記芯金５４と前記ギア軸５１とはベルト５６によって伝動可能に連結され、前記転動ギア５５と前記ラック１８とが噛み合っておる。  
【００１６】
好ましくは、前記解錠装置３００は前記転動チャンバ３３と連通した転動溝４４を含み、前記転動溝４４の中には前記噛合ギア３６と噛み合っている環状ギア４５が回転可能に設置され、前記環状ギア４５の軸心はネジ山状となっており、前記転動溝４４の左側には移動溝４１が連通的に設置され、前記移動溝４１の中には前記環状ギア４５とネジ山によって連結されたネジボルト４２がスライド可能に設置され、前記ネジボルト４２の外周にはガイドブロック４３が上下対称に、かつ固定的に設置され、前記移動溝４１と前記転動チャンバ３３との間にはスライド溝３７が連通的に設置され、前記スライド溝３７の中にはロックロッド３８がスライド可能に設置され、前記ロックロッド３８の上端は前記ロック溝３５の中に伸びており、前記ロックロッド３８の中には前記ネジボルト４２と当接できる斜め溝３９が設置され、前記ロックロッド３８の下端と前記スライド溝３７との間には固定ばね４０が固定的に設置されておる。
【００１７】
初期状態では、支持ロッド２３は伸縮溝２２の中に収納され、固定ギア２８とラック１８とはまだ未噛合状態であり、噛合ギア３６と伝動ギア４７とが噛み合っており、ロックロッド３８はまだロック溝３５に挿入していない。
【００１８】
装置を起動するときには、制御ブロック５８を回転させ、噛合ギア３６を回転連動させ、そして伝動ギア４７は回転し、第二傘歯車５２も伴って回転し、それにより、転動ギア５５は時計回りに回転し、ラック１８は上昇し、支持ロッド２３は回転ロッド２０によって、吸盤２４と便座の内壁とがきつく当接できるまで、外部空間に伸び続けることで、取り付けブロック１０は便座と固定的に連結でき、そして、制御ブロック５８を推し動かし、噛合ギア３６と環状ギア４５を噛み合わせ、回転軸３４がスライドロッド３１を圧迫し上昇させ、押しブロック２６を移動させることで、固定ギア２８とラック１８が噛み合い、ラック１８を固定し、この時、ロックロッド３８はロック溝３５に挿入し、回転軸３４をロックさせ、圧迫ばね５９は圧縮状態にあり、取り付けブロック１０が取り付いた後、回転ブロック１２を取り替えチャンバ１１の中に押して回転させることで、引掛りブロック１５と回転溝１４とを当接させ、そして取っ手１３と取り付けブロック１０とは固定的に連結され、便座取っ手の取り付けを完了とし、取っ手１３を取り替える時には、回転ブロック１２を反転させた後引き出せば良いであり、取り付けブロック１０を取り外しか取り替えをする時には、制御ブロック４８を反転させ、環状ギア４５を回転させ、ネジボルト４２を水平方向に移動させ、そしてロックロッド３８とロック溝３５とは離脱でき、制御ブロック５８を放ち、圧迫ばね５９によって、回転軸３４は初期位置に移動し、そして押しブロック２６を移動させることで、固定ギア２８とラック１８とは噛合状態から離脱し、そして制御ブロック５８を回転させ、ラック１８を下げて、支持ロッド２３を伸縮溝２２の中に収納し、これにて取り外し完了とする。
【００１９】
本発明の有益的効果は：本発明はシンプルな構成と簡単な操作方法を有し、取っ手を自在に取り替え可能であり、取り付けブロックと便座とは圧迫力と吸引力によって連結され、便座内壁の間隔による制限を免れ、使用範囲が広く、かつ取り付けや取り外しが便利で、再利用も可能であり、使用価値は上がる。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020175136.tif 000003
【図２】
2020175136.tif 000004
【図３】
2020175136.tif 000005
【手続補正書】
【提出日】令和1年7月26日(2019.7.26)
【手続補正１】
【補正対象書類名】特許請求の範囲
【補正対象項目名】全文
【補正方法】変更
【補正の内容】
【特許請求の範囲】
【請求項１】
取替えやすい便座取っ手であり、正面視で、取り付けブロックを含み、前記取り付けブロックの中には取り替えチャンバが設置され、前記取り替えチャンバの中には回転ブロックがスライド可能に設置され、前記回転ブロックの右端には取っ手が固定的に設置され、前記取り替えチャンバには取り付け溝が前後対称に、かつ連通的に設置され、前記取り付け溝の左側には回転溝が連通的に設置され、前記回転ブロックの左端には引掛りブロックが上下対称に、かつ固定的に設置され、前記引掛りブロックは前記回転溝の中に伸びており、前記取り替えチャンバの上側には昇降溝が設置され、前記昇降溝の中にはラックがスライド可能に設置され、前記ラックの上端と前記昇降溝の内壁との間には圧縮ばねが設置され、前記ラックの上には左右対称の回転ロッドがヒンジで連結され、前記昇降溝の左右側には対称の回転チャンバが連通的に設置され、前記回転チャンバのうち前記昇降溝から離れた側には伸縮溝が外部と連通的に設置され、前記伸縮溝の中には支持ロッドがスライド可能に設置され、前記支持ロッドのうち前記昇降溝に近接した端は前記回転ロッドの上端とヒンジで連結され、前記支持ロッドのうち前記昇降溝から離れた端には吸盤が固定的に設置され、前記昇降溝の左側にはロック装置が設置され、前記ロック装置は前記ラックの位置を固定でき、前記昇降溝の下側には転動チャンバが設置され、前記転動チャンバの中には前記ロック装置と当接した回転軸が回転可能に設置され、前記回転軸の上には環状のロック溝が固定的に設置され、前記回転軸において前記ロック溝の右側に噛合ギアが固定的に設置され、前記転動チャンバと前記昇降溝との間には伝動装置が設置され、初期状態では、前記噛合ギアと前記伝動装置とは噛み合っており、前記伝動装置と前記ラックとが噛み合っており、前記転動チャンバの下側には解錠装置が設置され、制御ブロックを押し動かした状態では、前記噛合ギアと前記解錠装置とが噛み合っており、前記転動チャンバの右側と外部空間の間には制御溝が連通的に設置され、前記回転軸の右端は前記制御溝の中に伸びており、かつ前記回転軸の右端には制御ブロックが固定的に設置され、前記制御溝の中に位置する前記回転軸の上には圧迫ばねが嵌め合えるように設置されておることを特徴とする取替えやすい便座取っ手。
【請求項２】
前記ロック装置は前記昇降溝と連通した押し溝を含み、前記押し溝の中には押しブロックがスライド可能に設置され、前記押しブロックの左端と前記押し溝との間には連結ばねが固定的に設置され、前記押しブロックの中には空溝が設置され、前記空溝の中には、前記制御ブロックを押し動かした状態では前記ラックと噛み合っている固定ギアが固定的に設置され、前記押し溝と前記転動チャンバとの間にはスライドロッド溝が連通的に設置され、前記スライドロッド溝の中にはスライドロッドがスライド可能に設置され、前記スライドロッドの下端は前記回転軸と当接しており、前記スライドロッドの上端と前記押しブロックとは当接しており、前記スライドロッドの左端面には前記スライドロッドをリセットできる復位部品が固定的に設置されておることを特徴とする請求項１に記載の取替えやすい便座取っ手。
【請求項３】
前記伝動装置は前記転動チャンバと連通した伝動溝を含み、前記伝動溝の中には伝動軸によって回転できる伝動ギアが設置され、前記伝動ギアと前記噛合ギアとは噛み合うように連結でき、前記伝動溝の左側には噛合チャンバが連通的に設置され、前記伝動軸の左端は前記噛合チャンバの中に伸びており、前記伝動軸の左端には第一傘歯車が固定的に設置され、前記噛合チャンバの中にはギア軸によって第二傘歯車が回転可能に設置され、前記第二傘歯車と前記第一傘歯車とが噛み合っており、前記噛合チャンバの上側と前記昇降溝との間には噛合溝が連通的に設置され、前記噛合溝の中には芯金によって転動ギアが回転可能に設置され、前記芯金と前記ギア軸とはベルトによって伝動可能に連結され、前記転動ギアと前記ラックとが噛み合っておることを特徴とする請求項１に記載の取替えやすい便座取っ手。
【請求項４】
前記解錠装置は前記転動チャンバと連通した転動溝を含み、前記転動溝の中には、前記制御ブロックを押し動かした状態では前記噛合ギアと噛み合っている環状ギアが回転可能に設置され、前記環状ギアの軸心はネジ山状となっており、前記転動溝の左側には移動溝が連通的に設置され、前記移動溝の中には前記環状ギアとネジ山によって連結されたネジボルトがスライド可能に設置され、前記ネジボルトの外周にはガイドブロックが上下対称に、かつ固定的に設置され、前記移動溝と前記転動チャンバとの間にはスライド溝が連通的に設置され、前記スライド溝の中にはロックロッドがスライド可能に設置され、前記ロックロッドの上端は前記ロック溝の中に伸びており、前記ロックロッドの中には前記ネジボルトと当接できる斜め溝が設置され、前記ロックロッドの下端と前記スライド溝との間には固定ばねが固定的に設置されておることを特徴とする請求項１に記載の取替えやすい便座取っ手。
【手続補正２】
【補正対象書類名】明細書
【補正対象項目名】全文
【補正方法】変更
【補正の内容】
【発明の詳細な説明】
【技術分野】
【０００１】
本発明は日用品技術分野に関わるものであり、特に取替えやすい便座取っ手に関わるものである。
【背景技術】
【０００２】
既存する便座取っ手は両面テープで便座の内壁と粘着され、しかし、両面テープは水で粘性を失い、取っ手が自動的外れるのを免れなく、また、外れた取っ手は再利用できないため、使用価値は下がる。また、便座のサイズが違った場合、粘着する時に隙間が生まれないため、テープを裁たなければらない。取り付けも取り外しも不便である。よって、既存する便座取っ手には改進する必要があり、取っ手の取り付けと取り外しの便利性を上げ、また、取っ手の使用価値を上げる。
【先行技術文献】
【特許文献】
【０００３】
【特許文献１】中国特許出願公開第105747980号明細書
【発明の概要】
【発明が解決しようとする課題】
【０００４】
本発明は取替えやすい便座取っ手を提供し、既存技術にある上記の欠点を解消することを目的とする。
【課題を解決するための手段】
【０００５】
本発明の取替えやすい便座取っ手は、取り付けブロックを含み、前記取り付けブロックの中には取り替えチャンバが設置され、前記取り替えチャンバの中には回転ブロックがスライド可能に設置され、前記回転ブロックの右端には取っ手が固定的に設置され、前記取り替えチャンバには取り付け溝が前後対称に、かつ連通的に設置され、前記取り付け溝の左側には回転溝が連通的に設置され、前記回転ブロックの左端には引掛りブロックが上下対称に、かつ固定的に設置され、前記引掛りブロックは前記回転溝の中に伸びており、前記取り替えチャンバの上側には昇降溝が設置され、前記昇降溝の中にはラックがスライド可能に設置され、前記ラックの上端と前記昇降溝の内壁との間には圧縮ばねが設置され、前記ラックの上には左右対称の回転ロッドがヒンジで連結され、前記昇降溝の左右側には対称の回転チャンバが連通的に設置され、前記回転チャンバのうち前記昇降溝から離れた側には伸縮溝が外部と連通的に設置され、前記伸縮溝の中には支持ロッドがスライド可能に設置され、前記支持ロッドのうち前記昇降溝に近接した端は前記回転ロッドの上端とヒンジで連結され、前記支持ロッドのうち前記昇降溝から離れた端には吸盤が固定的に設置され、前記昇降溝の左側にはロック装置が設置され、前記ロック装置は前記ラックの位置を固定でき、前記昇降溝の下側には転動チャンバが設置され、前記転動チャンバの中には前記ロック装置と当接した回転軸が回転可能に設置され、前記回転軸の上には環状のロック溝が固定的に設置され、前記回転軸において前記ロック溝の右側に噛合ギアが固定的に設置され、前記転動チャンバと前記昇降溝との間には伝動装置が設置され、初期状態では、前記噛合ギアと前記伝動装置とは噛み合っており、前記伝動装置と前記ラックとが噛み合っており、前記転動チャンバの下側には解錠装置が設置され、制御ブロックを押し動かした状態では、前記噛合ギアと前記解錠装置とが噛み合っており、前記転動チャンバの右側と外部空間の間には制御溝が連通的に設置され、前記回転軸の右端は前記制御溝の中に伸びており、かつ前記回転軸の右端には制御ブロックが固定的に設置され、前記制御溝の中に位置する前記回転軸の上には圧迫ばねが嵌め合えるように設置されておる。
【０００６】
前記ロック装置は前記昇降溝と連通した押し溝を含み、前記押し溝の中には押しブロックがスライド可能に設置され、前記押しブロックの左端と前記押し溝との間には連結ばねが固定的に設置され、前記押しブロックの中には空溝が設置され、前記空溝の中には、前記制御ブロックを押し動かした状態では前記ラックと噛み合っている固定ギアが固定的に設置され、前記押し溝と前記転動チャンバとの間にはスライドロッド溝が連通的に設置され、前記スライドロッド溝の中にはスライドロッドがスライド可能に設置され、前記スライドロッドの下端は前記回転軸と当接しており、前記スライドロッドの上端と前記押しブロックとは当接しており、前記スライドロッドの左端面には前記スライドロッドをリセットできる復位部品が固定的に設置されておる。
【０００７】
前記伝動装置は前記転動チャンバと連通した伝動溝を含み、前記伝動溝の中には伝動軸によって回転できる伝動ギアが設置され、前記伝動ギアと前記噛合ギアとは噛み合うように連結でき、前記伝動溝の左側には噛合チャンバが連通的に設置され、前記伝動軸の左端は前記噛合チャンバの中に伸びており、前記伝動軸の左端には第一傘歯車が固定的に設置され、前記噛合チャンバの中にはギア軸によって第二傘歯車が回転可能に設置され、前記第二傘歯車と前記第一傘歯車とが噛み合っており、前記噛合チャンバの上側と前記昇降溝との間には噛合溝が連通的に設置され、前記噛合溝の中には芯金によって転動ギアが回転可能に設置され、前記芯金と前記ギア軸とはベルトによって伝動可能に連結され、前記転動ギアと前記ラックとが噛み合っておる。
【０００８】
前記解錠装置は前記転動チャンバと連通した転動溝を含み、前記転動溝の中には、前記制御ブロックを押し動かした状態では前記噛合ギアと噛み合っている環状ギアが回転可能に設置され、前記環状ギアの軸心はネジ山状となっており、前記転動溝の左側には移動溝が連通的に設置され、前記移動溝の中には前記環状ギアとネジ山によって連結されたネジボルトがスライド可能に設置され、前記ネジボルトの外周にはガイドブロックが上下対称に、かつ固定的に設置され、前記移動溝と前記転動チャンバとの間にはスライド溝が連通的に設置され、前記スライド溝の中にはロックロッドがスライド可能に設置され、前記ロックロッドの上端は前記ロック溝の中に伸びており、前記ロックロッドの中には前記ネジボルトと当接できる斜め溝が設置され、前記ロックロッドの下端と前記スライド溝との間には固定ばねが固定的に設置されておる。
【発明の効果】
【０００９】
本発明の有益的効果は：本発明はシンプルな構成と簡単な操作方法を有し、取っ手を自在に取り替え可能であり、取り付けブロックと便座とは圧迫力と吸引力によって連結され、便座内壁の間隔による制限を免れ、使用範囲が広く、かつ取り付けや取り外しが便利で、再利用も可能であり、使用価値は上がる。
【図面の簡単な説明】
【００１０】
説明をわかりやすくさせるため、下記の方向を以下のように規定する：図１は本発明装置の正面図であり、以下に述べる上下左右前後の方向と図１本体の投影関係の上下左右前後の方向とが一致である
【００１１】
【図１】図１は本発明である取替えやすい便座取っ手の内部全体構成略図
【図２】図２は図１におけるＡ−Ａ方向からの構成略図
【図３】図３は図１におけるＢの拡大構成略図
【発明を実施するための形態】
【００１２】
下記に図１〜３を交え、本発明について詳しく説明する
【００１３】
図１〜３を参照し、本発明の取替えやすい便座取っ手は取り付けブロック１０を含み、前記取り付けブロック１０の中には取り替えチャンバ１１が設置され、前記取り替えチャンバ１１の中には回転ブロック１２がスライド可能に設置され、前記回転ブロック１２の右端には取っ手１３が固定的に設置され、前記取り替えチャンバ１１には取り付け溝１６が前後対称に、かつ連通的に設置され、前記取り付け溝１６の左側には回転溝１４が連通的に設置され、前記回転ブロック１２の左端には引掛りブロック１５が上下対称に、かつ固定的に設置され、前記引掛りブロック１５は前記回転溝１４の中に伸びており、前記取り替えチャンバ１１の上側には昇降溝１７が設置され、前記昇降溝１７の中にはラック１８がスライド可能に設置され、前記ラック１８の上端と前記昇降溝１７の内壁との間には圧縮ばね１９が設置され、前記ラック１８の上には左右対称の回転ロッド２０がヒンジで連結され、前記昇降溝１７の左右側には対称の回転チャンバ２１が連通的に設置され、前記回転チャンバ２１のうち前記昇降溝１７から離れた側には伸縮溝２２が外部と連通的に設置され、前記伸縮溝２２の中には支持ロッド２３がスライド可能に設置され、前記支持ロッド２３のうち前記昇降溝１７に近接した端は前記回転ロッド２０の上端とヒンジで連結され、前記支持ロッド２３のうち前記昇降溝１７から離れた端には吸盤２４が固定的に設置され、前記昇降溝１７の左側にはロック装置１００が設置され、前記ロック装置１００は前記ラック１８の位置を固定でき、前記昇降溝１７の下側には転動チャンバ３３が設置され、前記転動チャンバ３３の中には前記ロック装置１００と当接した回転軸３４が回転可能に設置され、前記回転軸３４の上には環状のロック溝３５が固定的に設置され、前記回転軸３４において前記ロック溝３５の右側に噛合ギア３６が固定的に設置され、前記転動チャンバ３３と前記昇降溝１７との間には伝動装置２００が設置され、初期状態では、前記噛合ギア３６と前記伝動装置２００とは噛み合っており、前記伝動装置２００と前記ラック１８とが噛み合っており、前記転動チャンバ３３の下側には解錠装置３００が設置され、制御ブロック５８を押し動かした状態では、前記噛合ギア３６と前記解錠装置３００とが噛み合っており、前記転動チャンバ３３の右側と外部空間の間には制御溝５７が連通的に設置され、前記回転軸３４の右端は前記制御溝５７の中に伸びており、かつ前記回転軸３４の右端には制御ブロック５８が固定的に設置され、前記制御溝５７の中に位置する前記回転軸３４の上には圧迫ばね５９が嵌め合えるように設置されておる。
【００１４】
好ましくは前記ロック装置１００は前記昇降溝１７と連通した押し溝２５を含み、前記押し溝２５の中には押しブロック２６がスライド可能に設置され、前記押しブロック２６の左端と前記押し溝２５との間には連結ばね２９が固定的に設置され、前記押しブロック２６の中には空溝２７が設置され、前記空溝２７の中には、前記制御ブロック５８を押し動かした状態では前記ラック１８と噛み合っている固定ギア２８が固定的に設置され、前記押し溝２５と前記転動チャンバ３３との間にはスライドロッド溝３０が連通的に設置され、前記スライドロッド溝３０の中にはスライドロッド３１がスライド可能に設置され、前記スライドロッド３１の下端は前記回転軸３４と当接しており、前記スライドロッド３１の上端と前記押しブロック２６とは当接しており、前記スライドロッド３１の左端面には前記スライドロッド３１をリセットできる復位部品３２が固定的に設置されておる。
【００１５】
好ましくは、前記伝動装置２００は前記転動チャンバ３３と連通した伝動溝４６を含み、前記伝動溝４６の中には伝動軸４８によって回転できる伝動ギア４７が設置され、前記伝動ギア４７と前記噛合ギア３６とは噛み合うように連結でき、前記伝動溝４６の左側には噛合チャンバ４９が連通的に設置され、前記伝動軸４８の左端は前記噛合チャンバ４９の中に伸びており、前記伝動軸４８の左端には第一傘歯車５０が固定的に設置され、前記噛合チャンバ４９の中にはギア軸５１によって第二傘歯車５２が回転可能に設置され、前記第二傘歯車５２と前記第一傘歯車５０とが噛み合っており、前記噛合チャンバ４９の上側と前記昇降溝１７との間には噛合溝５３が連通的に設置され、前記噛合溝５３の中には芯金５４によって転動ギア５５が回転可能に設置され、前記芯金５４と前記ギア軸５１とはベルト５６によって伝動可能に連結され、前記転動ギア５５と前記ラック１８とが噛み合っておる。  
【００１６】
好ましくは、前記解錠装置３００は前記転動チャンバ３３と連通した転動溝４４を含み、前記転動溝４４の中には、前記制御ブロック５８を押し動かした状態では前記噛合ギア３６と噛み合っている環状ギア４５が回転可能に設置され、前記環状ギア４５の軸心はネジ山状となっており、前記転動溝４４の左側には移動溝４１が連通的に設置され、前記移動溝４１の中には前記環状ギア４５とネジ山によって連結されたネジボルト４２がスライド可能に設置され、前記ネジボルト４２の外周にはガイドブロック４３が上下対称に、かつ固定的に設置され、前記移動溝４１と前記転動チャンバ３３との間にはスライド溝３７が連通的に設置され、前記スライド溝３７の中にはロックロッド３８がスライド可能に設置され、前記ロックロッド３８の上端は前記ロック溝３５の中に伸びており、前記ロックロッド３８の中には前記ネジボルト４２と当接できる斜め溝３９が設置され、前記ロックロッド３８の下端と前記スライド溝３７との間には固定ばね４０が固定的に設置されておる。
【００１７】
初期状態では、支持ロッド２３は伸縮溝２２の中に収納され、固定ギア２８とラック１８とはまだ未噛合状態であり、噛合ギア３６と伝動ギア４７とが噛み合っており、ロックロッド３８はまだロック溝３５に挿入していない。
【００１８】
装置を起動するときには、制御ブロック５８を回転させ、噛合ギア３６を回転連動させ、そして伝動ギア４７は回転し、第二傘歯車５２も伴って回転し、それにより、転動ギア５５は時計回りに回転し、ラック１８は上昇し、支持ロッド２３は回転ロッド２０によって、吸盤２４と便座の内壁とがきつく当接できるまで、外部空間に伸び続けることで、取り付けブロック１０は便座と固定的に連結でき、そして、制御ブロック５８を推し動かし、噛合ギア３６と環状ギア４５を噛み合わせ、回転軸３４がスライドロッド３１を圧迫し上昇させ、押しブロック２６を移動させることで、固定ギア２８とラック１８が噛み合い、ラック１８を固定し、この時、ロックロッド３８はロック溝３５に挿入し、回転軸３４をロックさせ、圧迫ばね５９は圧縮状態にあり、取り付けブロック１０が取り付いた後、回転ブロック１２を取り替えチャンバ１１の中に押して回転させることで、引掛りブロック１５と回転溝１４とを当接させ、そして取っ手１３と取り付けブロック１０とは固定的に連結され、便座取っ手の取り付けを完了とし、取っ手１３を取り替える時には、回転ブロック１２を反転させた後引き出せば良いであり、取り付けブロック１０を取り外しか取り替えをする時には、制御ブロック４８を反転させ、環状ギア４５を回転させ、ネジボルト４２を水平方向に移動させ、そしてロックロッド３８とロック溝３５とは離脱でき、制御ブロック５８を放ち、圧迫ばね５９によって、回転軸３４は初期位置に移動し、そして押しブロック２６を移動させることで、固定ギア２８とラック１８とは噛合状態から離脱し、そして制御ブロック５８を回転させ、ラック１８を下げて、支持ロッド２３を伸縮溝２２の中に収納し、これにて取り外し完了とする。
【００１９】
本発明の有益的効果は：本発明はシンプルな構成と簡単な操作方法を有し、取っ手を自在に取り替え可能であり、取り付けブロックと便座とは圧迫力と吸引力によって連結され、便座内壁の間隔による制限を免れ、使用範囲が広く、かつ取り付けや取り外しが便利で、再利用も可能であり、使用価値は上がる。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。